(57)【特許請求の範囲】
【請求項１】
単位帳票が分離自在に連続しており、端部に搬送のためのガイド部が設けられ、重ね合わせ位置の前に搬送方向が変更される連続用紙と、搬送されてくる丁合対象の連続用紙の各単位帳票とを綴じ合わせ接着するもので、綴じ合わせ枚数に応じて所定段配置されるべき帳票丁合装置において、
前記連続用紙がセットされ、当該連続用紙を順次送り出す給紙手段と、
前記給紙手段からの連続用紙における各単位帳票の所定部分に接着剤を塗布する塗布手段と、
前記塗布手段により接着剤が塗布された後に前記連続用紙の重ね合わせ前の搬送方向が変わる部分に、当該接着剤を回避して配置され、当該連続用紙を、前記搬送されてくる丁合対象の連続用紙の接着位置に対応させるべく規制する規制手段と、
前記規制手段で規制された連続用紙と前記丁合対象の連続用紙とを重ね合わせて搬送する搬送手段と、
前記重ね合わされた互いの連続用紙の各単位帳票同士を接着させる接着手段と、
を有することを特徴とする帳票丁合装置。
【請求項２】
請求項１記載の帳票丁合装置であって、前記規制手段は、前記連続用紙の重ね合わせ前の搬送方向が変わる部分であって当該連続帳票に塗布される接着剤を回避する近傍に配置されることを特徴とする帳票丁合装置。
【請求項３】
請求項１又は２記載の帳票丁合装置であって、前記規制手段は、前記連続用紙の重ね合わせ前の搬送方向が変わる部分であって当該連続帳票に塗布される接着剤を回避して当該連続用紙の搬送方向に対する幅方向に亘って設けられることを特徴とする帳票丁合装置。
【発明の詳細な説明】
【０００１】
【発明の属する技術分野】
本発明は、綴じ合わせた帳票を作製するためのものであって、単位帳票が所定枚数連続した連続帳票と、丁合対象の連続帳票とをそれぞれ接着して丁合する帳票丁合装置、帳票シート、綴じ合わせ帳票に関する。
【０００２】
【従来の技術】
近年、綴じ合わせ帳票を作製する場合、プリンタで印字された連続用紙に予め感圧接着剤を塗布しておき、必要時に丁合するものであったが、丁合前の保管時に当該感圧接着剤によるブロッキングを生じる場合があることから、丁合時に接着剤を塗布することが行われている。この丁合時塗布の接着は未乾燥状態で行われ、接着する対応の連続用紙との間で正規以外の位置でも接着しやすいことから、誤接着を防止することが必要となる。
【０００３】
従来、帳票丁合装置は、綴じ合わせる単位帳票が連続した連続用紙が、綴じ合わせ枚数に応じて予めプリンタで印字された状態で用意される。通常、一頁目の帳票には接着剤は塗布されずに二頁目からの帳票に接着剤を塗布し、前段の帳票とを重ね合わせて搬送して圧着ローラで密着させて接着するもので、綴じ合わせ枚数に応じてそれぞれの段階で同様に行われて丁合される。この場合の位置合わせは、各連続用紙の先端を検出して当該先端を合わせることにより行われる。そして、各連続用紙の各単位帳票間の接着が行われたのち、ディタッチャ等で不要の部分を裁断分離し、各綴じ合わせ帳票毎に裁断するものである
【０００４】
【発明が解決しようとする課題】
ところで、帳票丁合装置では、搬送されてくる前段の連続用紙が略水平方向の場合には、接着剤を塗布する対応の連続用紙は異なる方向から搬送され、方向を変えて前段の連続用紙と重ね合わせる構造となっている。しかしながら、用紙搬送が高速化すると、当該用紙自体に蛇行や揺れ等を生じやすくなり、連続用紙同士を重ね合わせて搬送する以前に当該用紙同士が正規の接着位置以外の位置で接触して着いてしまうという問題を生じる。これは、接着剤を綴じ合わせる直前に塗布することから乾燥されていないためであり、特に方向を変えて搬送する連続用紙において蛇行や揺れ等を生じ易いという問題がある。
【０００５】
そこで、本発明は上記課題に鑑みなされたもので、用紙の搬送時の蛇行や揺れ等の影響を防止して正規の位置での接着を確実とする帳票丁合装置、帳票シート、綴じ合わせ帳票を提供することを目的とする。
【０００６】
【課題を解決するための手段】
上記課題を解決するために、請求項１の発明では、単位帳票が分離自在に連続しており、端部に搬送のためのガイド部が設けられ、重ね合わせ位置の前に搬送方向が変更される連続用紙と、搬送されてくる丁合対象の連続用紙の各単位帳票とを綴じ合わせ接着するもので、綴じ合わせ枚数に応じて所定段配置されるべき帳票丁合装置において、前記連続用紙がセットされ、当該連続用紙を順次送り出す給紙手段と、前記給紙手段からの連続用紙における各単位帳票の所定部分に接着剤を塗布する塗布手段と、前記塗布手段により接着剤が塗布された後に前記連続用紙の重ね合わせ前の搬送方向が変わる部分に、当該接着剤を回避して配置され、当該連続用紙を、前記搬送されてくる丁合対象の連続用紙の接着位置に対応させるべく規制する規制手段と、前記規制手段で規制された連続用紙と前記丁合対象の連続用紙とを重ね合わせて搬送する搬送手段と、前記重ね合わされた互いの連続用紙の各単位帳票同士を接着させる接着手段と、を有して帳票丁合装置を構成する。
【０００７】
請求項２、３の発明では、「前記規制手段は、前記連続用紙の重ね合わせ前の搬送方向が変わる部分であって当該連続帳票に塗布される接着剤を回避する近傍に配置される」構成であり、
「前記規制手段は、前記連続用紙の重ね合わせ前の搬送方向が変わる部分であって当該連続帳票に塗布される接着剤を回避して当該連続用紙の搬送方向に対する幅方向に亘って設けられる」構成である。
【０００９】
このように、連続用紙における各単位帳票の所定位置に接着剤が塗布されて搬送される際に、当該連続用紙の重ね合わせ前の搬送方向が変わる部分に、接着剤を回避して配置させた規制手段が規制することで当該連続用紙の搬送時に生じる蛇行や揺れ等を防止することが可能となり、丁合対象の連続用紙との接着位置に対応して正規の位置での接着を確実とすることが可能となるものである。また、このように帳票の丁合が行われることから、丁合ミスによる装置停止の頻度が減少して歩留りを良好に帳票シート及び綴じ合わせ帳票を作製することが可能となるものである。
【００１０】
【発明の実施の形態】
以下、本発明の好ましい実施形態を図により説明する。
図１に、本発明における帳票丁合装置の一実施形態の概念構成図を示す。図１において、帳票丁合装置１１は、大別して給紙手段１２及び丁合手段１３を含んで構成され、給紙手段１２に連続用紙１４がセットされて順次送り出される。この連続用紙１４は、後述するが、単位帳票が分離自在に連続しており、両端に搬送のためのガイド部であるマージナル部が分離自在に設けられたものである。給紙手段１２から順次送り出される連続用紙１４は、ローラ群を介在させて丁合手段１３に設けられた搬送誘導壁１３Ａの下方から上方に送られ、上方で垂直方向から搬送方向を変える。
【００１１】
上記搬送誘導壁１３Ａの近傍には、下方から順次マーク検出部１５、用紙抑え部１６、塗布手段である接着剤塗布部１７、接着剤検出部１８が設けられる。マーク検出部１５は、連続用紙１４の各単位帳票に印字されたマーク（後述するが、例えばバーコード）を検出して丁合照合を行い、接着剤塗布部１７による接着剤塗布のＯＮ／ＯＦＦ制御をしている。また、用紙抑え部１６は、接着剤塗布部１７により接着剤を塗布する際に、連続用紙１４がいわゆる踊るのを防止して確実に接着剤を塗布させるためのものである。
【００１２】
接着剤塗布部１７は、搬送されてきた連続用紙１４の各単位帳票の所定部分、例えば一方の端部付近に接着剤（例えば感圧接着剤）を塗布するもので、上記マーク検出部１５からの制御信号に応じて接着剤を吐出する。接着剤検出部１８は、連続用紙１４に接着剤が塗布されたか否かを検出するもので、例えば、接着剤に着色しておき、その色を検出する。
【００１３】
また、搬送誘導壁１３Ａの垂直方向から搬送方向を変える部分に規制手段である規制部材１９が配置されるもので、この規制部材１９は、例えば連続用紙１４に塗布された接着剤の近傍であって、当該接着剤を回避する位置及び形状で当該連続用紙１４に接触又は微小間隙で配置され、搬送されてくる丁合対象の連続用紙を正規な接着位置に対応させ、搬送手段まで接触させない機能を有する。
【００１４】
上記規制部材１９の搬送方向側には搬送手段であるトラクタ２０Ａ，２０Ｂが連続用紙１４の幅方向の両端に二機配置されるもので、当該トラクタ２０，２０Ｂは、規制部材１９で規制された連続用紙１４と、前段より搬送されてくる丁合対象の連続用紙とを重ね合わせ、互いの連続用紙に設けられたガイド部であるマージナル部の搬送孔（後述する）と係合して搬送する。この場合、連続用紙１４との係合が正常か否かを検出する脱ピン検出部２１Ａ，２１Ｂが各トラクタ２０Ａ，２０Ｂの外側に設けられる。また、所定位置に連続用紙１４の先端を検出する一組の用紙先端検出部２２が配置される。なお、後述するが各トラクタ２０Ａ，２０Ｂ上には重ね合わされた連続用紙を抑える所定数の抑えカバーが配置されるものである。
【００１５】
そして、各トラクタ２０Ａ，２０Ｂの搬送方向側に、接着手段である圧着ローラ２３が配置されるもので、当該圧着ローラ２３は重ね合わされた互いの連続用紙の各単位帳票同士を密着させ、接着状態を確実にする。この圧着ローラ２３で接着されて丁合された連続用紙は、次段の帳票丁合装置１１又は後述のディタッチャに搬送されるものである。
【００１６】
ここで、図２に、図１の規制部材近傍の拡大説明図を示す。図２（Ａ）、（Ｂ）において、用紙抑え部１６は、ブラシ１６Ａが連続用紙１４の幅方向（搬送方向に対して垂直方向）に所定数連設されたもので、当該連続用紙１４に対して所定角度で取り付けられて各ブラシ１６Ａの先端部分で抑える。接着剤塗布部１７は、所定圧力で供給される接着剤を例えば先端内部の弁機構により上記マーク検出部１５からの照合状態及び連続用紙の搬送状態に応じて吐出制御する。
【００１７】
規制部材１９は、接着剤塗布部１７の上方に台座２４に取り付けられて配置されるもので、基部より所定間隔で延出部１９Ａ，１９Ｂが延出し、それぞれの先端部分が上方に折曲された形状のものである。すなわち、各延出部１９Ａ，１９Ｂの間隙部分に接着剤塗布部１７より塗布された接着剤が位置されて当該接着剤を回避している。このように、規制部材１９で連続用紙１４を接着剤近傍で規制することから、高速搬送による用紙の蛇行や揺れ等が防止され、丁合対象の連続用紙との接着を正規の位置で確実に行うことができるものである。
【００１８】
そこで、図３に本発明における帳票丁合を行う丁合システムの概略説明図を示すと共に、図４に図３の帳票丁合装置の用紙合わせ搬送を行う部分の拡大図を示す。図３において、丁合システム３１は、例えば３枚の帳票が綴じ合わされた綴じ合わせ帳票を作製する場合のもので、３機の帳票丁合装置１１−１，１１−２，１１−３を連設し、裁断装置であるディタッチャ３２を配置したものである。
【００１９】
この場合、帳票丁合装置１１−１には１枚目（表紙又は最上の帳票）に相当する連続用紙１４（１）が給紙手段１２−１にセットされ、帳票丁合装置１１−２には２枚目に相当する連続用紙１４（２）が給紙手段１２−２にセットされると共に、帳票丁合装置１１−３には３枚目に相当する連続用紙１４（３）が給紙手段１２−３にセットされる。なお、第１段の帳票丁合装置１１−１は、上記のように最上の帳票のものであることから、接着剤塗布部、接着剤検出部、規制部材等必要のない要素は含まれない。
【００２０】
そして、第１段の帳票丁合装置１１−１では、給紙手段１２−１にセットされた１枚目連続用紙１４（１）が送り出されてトラクタにより搬送されて第２段の帳票丁合装置１１−２のトラクタに搬送される。第２段の帳票丁合装置１１−２では、給紙手段１２−２にセットされた２枚目連続用紙１４（２）が送り出されてトラクタにより搬送されるもので、ここで第１段の帳票丁合装置１１−１から搬送される丁合対象の連続用紙１４（１）と重ね合わされて接着され、第３段の帳票丁合装置１１−３のトラクタに搬送される。第３段の帳票丁合装置１１−３では、給紙手段１２−３にセットされた３枚目連続用紙１４（３）が送り出されてトラクタにより搬送されるもので、ここで第２段の帳票丁合装置１１−２から搬送される丁合対象の連続用紙１４（１＋２）と重ね合わされて接着されることで帳票シート３５が作製されてディタッチャ３２に搬送されるものである（図５において詳述する）。
【００２１】
ここで、図４は、例えば図３における第２段目の帳票丁合装置１１−２の用紙合わせ搬送を行う部分であり、連続用紙１４（２）が接着剤塗布部１７で接着剤が塗布されたのを接着剤検出部１８で確認され、規制部材１９で規制されてトラクタ２０Ａ，２０Ｂにより搬送される。ここで第１段の帳票丁合装置１１−１から送られてくる丁合対象の連続用紙１４（１）と重ね合わされる。トラクタ２０Ａ，２０Ｂは、連続用紙１４（１），１４（２）の幅方向両端に設けられたマージナル部の搬送孔と係合して重ね合わせ搬送を行うが、この際に当該用紙が脱ピンしていないかどうかを脱ピン検出部２１Ａ，２１Ｂで確認している。脱ピン状態のときには稼働が停止されて掛け直される。
【００２２】
また、トラクタ２０Ａ，２０Ｂ上では重ね合わせた連続用紙１４（１），１４（２）を２つの抑えカバー３３Ａ，３３Ｂにより抑えることで位置ずれを防止している。なお、３４は、蓋部である。そして、圧着ローラ２３で連続用紙１４（１），１４（２）同士が接着され、綴じ合わされた連続用紙１４（１＋２）として第三段の帳票丁合装置１１−３に送られるものであり、当該帳票丁合装置１１−３においても同様のことがなされる。なお、図４においては、用紙先端検出部２２（図１）は、図に表れていない。
【００２３】
続いて、図５に、本装置における帳票丁合工程の説明図を示す。図５において、連続用紙１４（１）〜１４（３）は、図５（Ｂ）に示すように、単位帳票５１がミシン目５１Ａにより分離自在に連続したもので、幅方向の両端に所定数の搬送孔５２が形成されたマージル部５３Ａ，５３Ｂがミシン目により分離自在に設けられたものである。そして、各単位帳票５１には予めプリンタにより所定の情報５４が印字されると共に、マーク（例えばバーコード）５５が印字される。このような連続用紙１４（１）〜１４（３）が図４に示すように給紙手段１２−１〜１２−３にそれぞれセットされる。
【００２４】
上記のような連続用紙１４の各単位帳票５１には、図３の第２段、第３段の帳票丁合装置１１−２，１１−３において、図５（Ａ）に示すように、マーク検出部１５−１，１５−２による上記マーク５５の検出信号による照合状態に応じて接着剤塗布部１７が接着剤５６を塗布し、この塗布状態を接着剤検出部１８が検出する。これにより、図５（Ｂ）に示すように、連続用紙１４（２），１４（３）の各単位帳票５１に接着剤５６が塗布されるもので、上述のように第２段の帳票丁合装置１１−２で連続用紙１４（１）と連続用紙１４（２）とが綴じ合わされ、第３段の帳票丁合装置１１−３で連続用紙１４（１＋２）と連続用紙１４（３）とが綴じ合わされて帳票シート３５が作製される。
【００２５】
上記作製された帳票シート３５は、ディタッチャ３２に送られ、ここで図５（Ｃ）に示すように、マージナル部５４Ａ，５４Ｂがミシン目で切り落とされると共に、各単位帳票５１がミシン目５１Ａで裁断分離される。これにより、図５（Ｄ）に示すように、各単位帳票５１（１）〜５１（３）の一方端が接着された綴じ合わせ帳票６１が作製されるものである。
【００２６】
このように、規制部材１９により連続用紙１４（２），１４（３）の接着剤５６の近傍で規制することで高速搬送時の蛇行や揺れ等が防止され、丁合対象の連続用紙１４（１），１４（１＋２）に対して正規の接着位置と異なる位置での接着が防止されて正規位置の接着が可能となることから、歩留り良好に帳票シート３５、綴じ合わせ帳票６１を作製することができるものである。
【００２７】
なお、上記実施形態では、３枚綴りの綴じ合わせ帳票を作製する場合を示したが、その綴じ合わせ枚数に応じて適宜帳票丁合装置１１を追加して連設すれば足りる。この場合でも第１段においては１枚目の帳票として接着剤の塗布は行う必要はなく、接着剤塗布部１７、接着剤検出部１８、規制部材１９等は不要となる。
【００２８】
次に、図６に、本発明における他の実施形態の部分説明図を示す。図６は、規制部材を他の形態としたものであり、図６（Ａ）は例えば棒状の規制部材７１が搬送誘導壁１３Ａに沿って搬送される連続用紙１４に塗布された接着剤５６を回避する長さで形成されて取付台座７２に取り付けられ、その一部が当該連続用紙１４のマージナル部側と接触又は微小間隙で配置したものである。このような規制部材７１を用いることによっても、連続用紙１４を接着剤近傍で規制できることから、高速搬送による用紙の蛇行や揺れ等が防止され、丁合対象の連続用紙との接着を正規の位置で確実に行うことができるものである。
【００２９】
同様の効果を有する規制部材として、図６（Ｂ）に示すものは、図６（Ａ）に示す規制部材７１と同様の規制部材７３Ａを取付台座７４Ａに取り付けると共に、塗布された接着剤５６を回避して連続用紙１４の幅方向に亘って規制する規制部材７３Ｂを取付台座７４Ｂに取り付けたものである。この場合、規制部材７３Ｂは、連続用紙１４の幅方向に必ずしも水平でなくともよく、当該幅方向に対して傾きを有していてもよい。
【００３０】
さらに、同様の効果を有する規制部材として、図６（Ｃ）に示すものは、連続用紙１４の幅方向に亘って水平、又は所定傾きで規制部材７５を取付台座７６Ａ，７６Ｂに取り付けたものであり、連続用紙１４に塗布された接着剤５６を回避させるべく当該接着剤５６と対応する位置に窪み７５Ａを形成させたものである。
【００３１】
【発明の効果】
以上のように、請求項１〜３の発明によれば、給紙手段から供給される連続用紙における各単位帳票の所定位置に塗布手段で接着剤を塗布して搬送する際に、当該連続用紙を適宜接着剤近傍、又は幅方向に亘って当該連続用紙の重ね合わせ前の搬送方向が変わる部分に、接着剤を回避して設けられた規制手段で丁合対象の連続用紙との接着位置に対応させるべく規制させる構成とすることにより、搬送手段における重ね合わせ搬送時に蛇行や揺れ等を防止することができ、正規の位置での接着を確実に行うことができるものである。
【図面の簡単な説明】
【図１】本発明における帳票丁合装置の一実施形態の概念構成図である。
【図２】図１の規制部材近傍の拡大説明図である。
【図３】本発明における帳票丁合を行う丁合システムの概略説明図である。
【図４】図３の帳票丁合装置の用紙合わせ搬送を行う部分の拡大図である。
【図５】本装置における帳票丁合工程の説明図である。
【図６】本発明における他の実施形態の部分説明図である。
【符号の説明】
１１              帳票丁合装置
１２              給紙手段
１３              丁合手段
１３Ａ            搬送誘導壁
１４              連続用紙
１５              マーク検出部
１７              接着剤塗布部
１８              接着剤検出部
１９              規制部材
２０Ａ，２０Ｂ    トラクタ
２１Ａ，２１Ｂ    脱ピン検出部
２２              用紙先端検出部
２３              圧着ローラ
３１              丁合システム
３２              ディタッチャ
３５              帳票シート
５１              単位帳票
５６              接着剤
６１              綴じ合わせ帳票
【図１】
0004132475.tif 000002
【図２】
0004132475.tif 000003
【図３】
0004132475.tif 000004
【図４】
0004132475.tif 000005
【図５】
0004132475.tif 000006
【図６】
0004132475.tif 000007